(57)【要約】      （修正有）【課題】チェーン類もしくは紐類と止め具との連結および取り外しをだれでも容易にかつ正確に行なうことができる、装着性に優れたチェーン類もしくは紐類と止め具とからなる装身具を提供することである。【解決手段】チェーン類もしくは紐類を挿通する貫通孔１２を備えた装飾性を有する止め具１１と上記止め具内に装着され、上記貫通孔と連通するチェーン類２１もしくは紐類の挿通孔１４を有する弾性体１３と前記止め具に取り付けたチェーン類もしくは紐類と前記チェーン類もしくは紐類の端部に取り付けられており、止め具の貫通孔に挿通可能でかつ止め具の貫通孔の長さよりも長いピンとからなることを特徴とする装身具。【選択図】図２
0003116199.tif 000002
【実用新案登録請求の範囲】
【請求項１】
チェーン類もしくは紐類を挿通する貫通孔を備えた装飾性を有する止め具と、上記止め具内に装着され、上記貫通孔と連通するチェーン類もしくは紐類の挿通孔を有する弾性体と、
前記止め具に取り付けたチェーン類もしくは紐類と、
前記チェーン類もしくは紐類の端部に取り付けられており、止め具の貫通孔に挿通可能でかつ止め具の貫通孔の長さよりも長いピンとからなることを特徴とする装身具。
【請求項２】
チェーン類もしくは紐類の端部に、指掛かり構造を備えたピンを有する請求項１に記載の装身具。
【考案の詳細な説明】
【技術分野】
【０００１】
この考案は装飾性に優れたチェーン類もしくは紐類と止め具とからなる装身具に関するものである。
【背景技術】
【０００２】
従来、この種のチェーン類もしくは紐類と止め具とからなる装身具としては次のような例が見受けられる。
まず、特開平１１−４６８２６号公報（特許文献１参照）に記載の考案は、ネックレス、ブレスレット等の装飾チェーンからなる装身具において、首または手首等にかける装飾チェーンの輪の大きさを容易かつ自由に調整できるようにしたものである。
実用新案登録第３０６３８９０号公報（特許文献２参照）に記載の考案も、装飾チェーンの輪の大きさを容易に自由かつ任意に調整できるようにしたものである。
【０００３】
特開２０００−０５０９２２公報（特許文献３参照）および特開２０００−０８３７１３公報（特許文献４参照）に記載の考案は、止め具およびこの止め具を用いた紐留め装置に関するものであって、紐部材の作る輪の大小を任意にかつ容易に調整し得る装飾品止め具および紐止め装置である。
すなわち、上記いずれの考案も、チェーン類もしくは紐部材の作る輪の大きさを容易に調整することができるようにしたものである。
【特許文献１】特開平１１−４６８２６号公報
【特許文献２】実用新案登録第３０６３８９０号公報
【特許文献３】特開２０００−０５０９２２公報
【特許文献４】特開２０００−０８３７１３公報
【考案の開示】
【考案が解決しようとする課題】
【０００４】
しかしながら、上記各考案に基づく装身具ないしは装飾品を一般ユーザが使用する場合には、次のような問題があった。
上記特許文献１（特開平１１−４６８２６号公報）の図３および図４に示されている装身具においては、装飾チェーン１０の端部１０’，１０”が可撓性を有しているため、一旦前記装飾チェーン１０の両端部１０’，１０”が引き抜かれてしまうと、再びデザインパーツ１１の貫通孔１２ａ，１２ｂに装飾チェーン１０の両端部１０’，１０”を挿通することができない。
【０００５】
すなわち、装飾チェーン１０の両端部１０’，１０”とデザインパーツ１１とを容易に連結することができない。ひいては、装飾チェーン類とデザインパーツとからなる装身具を身体に装着できないという問題点がある。
【０００６】
また特許文献３（特開２０００−０５０９２２公報）および特許文献４（特開２０００−０８３７１３公報）の図１２および図１３に示されている実施例の装飾品は、紐部材３１が一端側の先端に尖端状の差し込み片３４を備えている。そして紐部材３１の他端部は紐止め１２にかけ止めされている。
【０００７】
このように構成された装飾品を一般ユーザが使用しようとした場合について説明する。
まず止め具１から紐部材３１を引き抜き、再び止め具１に差し込み片３４を差し込んで紐部材３１を止め具１に挿通しようとした場合、差し込み片３４の長さが止め具１の孔１５から孔１６の間の長さよりも短く、差し込み片３４を止め具１の引き出す側の孔１６から引き出せないため、紐部材３１を止め具１に挿通することができない。
すなわち、紐部材３１と止め具１とを簡単には連結し得ない結果、紐部材３１と止め具１とからなる装飾品を身体に装着することができない、という問題が発生する。
なお、上記の説明において使用している図面（および符号）は、何れも上記公報中のものであって本発明においては何も図示していない。
【０００８】
そこでこの考案が解決しようとする課題は、チェーン類もしくは紐類と止め具との連結および取り外しをだれでも容易にかつ正確に行なうことができる、装着性に優れたチェーン類もしくは紐類と止め具とからなる装身具を提供することである。
【課題を解決するための手段】
【０００９】
すなわちこの考案（第１考案）の装身具は、チェーン類もしくは紐類を挿通する貫通孔を備えた装飾性を有する止め具と、
上記止め具内に装着され、上記貫通孔と連通するチェーン類もしくは紐類の挿通孔を有する弾性体と、
前記止め具に取り付けたチェーン類もしくは紐類と、
前記チェーン類もしくは紐類の端部に取り付けられており、止め具の貫通孔に挿通可能でかつ止め具の貫通孔の長さよりも長いピンとからなることを特徴とするものである。
【００１０】
この考案（第２考案）の装身具は、上記チェーン類もしくは紐類の端部に、指掛かり構造を備えたピンを有することをも特徴とするものである。
【００１１】
本考案に係る装身具において、チェーン類（もしくは紐類、以下チェーン類という）は、金属製チェーンや金属製ワイヤ、及び金属線、ナイロン等の樹脂製コード、繊維製のひも等が挙げられる。
ピンは金属製（貴金属製を含む）あるいはナイロン樹脂製であってもよい。ピンの形状はスリムな線状が望ましく、丸や角、その他様々な断面形状であっても良い。またピンの太さはチェーン類の外形と同等の外径であることが望ましく、ピンの長さは止め具の貫通孔の長さよりも長くすることが肝要である。このように構成したことで、止め具に差し込んだピンを止め具の貫通孔下部から引き抜き易くなり、止め具に対するチェーン類の挿通が容易になった。さらに、挿通されたチェーン類に連結されたピンを下から押し上げることにより、止め具の貫通孔上部からも容易に引き抜くことができる。
すなわち、チェーン類もしくは紐類と止め具との連結および取り外しをだれでも容易にかつ正確に行なうことができるのである。
ピンは、先端部分に複数の溝を適宜間隔で周設した指掛かり構造を有することが望ましい。もちろん、ピンを棒状の角材で作製し、ピンをひねることによりらせん状とした指掛かり構造を有するものとすることもできる。このような構造にすることで、化粧品等を使用した場合など、指先が滑りやすい状態においても、チェーン類を止め具から容易に引き出すことができる。
【００１２】
止め具は金属、合金、プラスチック、セラミック等の各種の材料を用いて形成することができる。また、真珠や貴石等であっても良い。止め具の外面は、メッキ等によって装飾することができる。または、彫金的装飾を施してもよい。止め具の形状は任意である。
また弾性体は、天然ゴム（ＮＲ）、イソプレンゴム（ＩＲ）、スチレンブタジエンゴム（ＳＢＲ）、ブタジエンゴム（ＢＲ）、アクリロニトリルブタジエンゴム（ＮＢＲ）、クロロブレンゴム（ＣＲ）ウレタンゴム（ＵＲ）、シリコンゴム（ＳＲ）ポリウレタン等で構成することができる。その場合、チェーン類の材質および形状等の関係を考慮して、上記ゴム類を使い分けることが望ましい。また、弾性体として上記ゴム類をチューブ状に加工したものを使用しても良いことは言うまでもない。特に、上記記載のウレタンゴム（ＵＲ）は、耐摩耗性、耐酸性、耐油性が優れているため、金属製のチェーン類等を使用する場合は、弾性体に特にウレタンゴム（ＵＲ）を使用することが望ましい。また貴金属を使用した場合には、加工工程において酸で処理する工程が多いため、金、銀、プラチナ等からなる止め具においてはウレタンゴム（ＵＲ）が最適である。
また、弾性体は、金属製またはプラスチック製の挟持具などによって構成することもできる。
上記弾性体は、止め具の中空部分の全体に充填ないし装着してあっても、また止め具の中空部分に部分的に充填ないし装着してあってもよい。弾性体が止め具の中空部分に部分的に充填ないし装着されている場合にも、ピンの長さは止め具の貫通孔の長さより長いことが必要であることはいうまでもない。
【考案の効果】
【００１３】
この考案（第１考案）は以上のように構成したので、この装身具を使用するときは、チェーン類もしくは紐類と止め具との連結および取り外しをだれでも容易にかつ正確に行なうことができる。したがって、装着性に優れたチェーン類もしくは紐類と止め具とからなる装身具を提供することができるようになった。
【００１４】
またこの考案（第２考案）によれば、上記チェーン類端部に、指掛かり構造を備えたピンを用いたことにより、化粧品等を使用した場合など、指先が滑りやすい状態においても、チェーン類を止め具から容易に引き出すことができる。したがって、化粧品等を使用した後でもチェーン類もしくは紐類と止め具との連結および取り外しが容易である。
【００１５】
本考案の構成及び利点、他の目的については、実施例である添付図面を参照し、更に詳しく説明する。
【考案を実施するための最良の形態】
【００１６】
図１は本考案に係る装身具の１実施例の正面図、図２はその断面図、図３はその要部拡大背面図である。
図１および図２に示すように、本考案に係る装身具は、チェーン類（もしくは紐類、以下チェーン類という）２１と、チェーン類２１端部にピン２２と、チェーン類２１の他端部に止め金（丸環）２４を介して取り付けた止め具１１を有する。チェーン類２１としては、金属製チェーンや金属製ワイヤ、及び金属線、ナイロン等の樹脂製コード、繊維製のひも等が挙げられる。
ピン２２は、丸棒状の線材でできており、先端部分に複数の溝を適宜間隔で周設した指掛かり構造２３を有する。止め具１１は、貫通孔１２と、弾性体１３を有し、弾性体１３は、止め具１１の貫通孔１２に通ずる挿通孔１４を有する。もちろん、貫通孔１２の上端は、ピン２２を差し込みやすいように、漏斗状にしておくことが望ましい。
上記止め具１１は金属、合金、プラスチック、セラミック等の各種の材料を用いて形成することができる。また、真珠や貴石等であっても良い。止め具１１の外面は、メッキ等によって装飾することができる。または、彫金的装飾を施してもよい。止め具１１の形状は任意である。実施例では、止め具１１は円盤状であり、金属製の枠にダイヤモンド等の宝石をあしらったものである。
【００１７】
本実施例に係る装身具において止め具１１は、図３に示すようにその中空内部に設置した筒状の小枠１５内に、弾性体１３がはめ込まれている。この弾性体１３は、止め具１１の貫通孔１２に通ずる挿通孔１４を斜めに形成してある。したがってチェーン類２１の直径と、挿通孔１４の内径とを調整することにより、弾性体１３の弾性力により、挿通孔１４を通るチェーン類２１に止め具１１が保持され、装飾性を有する止め具１１を、自由かつ容易にチェーン類２１の任意の位置に移動し、止めることができる。なお、上記筒状の小枠１５は止め具１１の中空上部にやや片寄って設置されており、したがってピン２２は傾いた状態で弾性体１３の斜めに形成した挿通孔１４にはめ込まれ、止め具１１の、貫通孔下端１２’から引き出される。その際、貫通孔下端１２’は斜めのピン２２を引き出すことができ、なおかつチェーン類２１を止め具１１の下端中央から垂下させるように、所定長さのスリット状に形成してある。
もちろん、ピン２２は止め具１１の貫通孔下端１２’から無理なく引き抜ける長さに形成してあるので、チェーン類２１と止め具１１との連結および取り外しをだれでも容易にかつ正確に行うことができる。
さらにこの例では、弾性体１３の斜めに形成した挿通孔１４からピン２２を引き抜く際に、ピン２２の根元部分が挿通孔１４の端部に引っ掛かるので、ピン２２が不用意に弾性体13の挿通孔１４から抜けてしまうことがない。
図３において１６は筒状の小枠１５の裏蓋で、小枠１５の周縁に設けた爪１７によって外れないように爪止めされており、弾性体１３が使用中に磨耗した場合等に簡単に取り替えることが可能となった。
また図４は筒状の小枠１５に装着される弾性体１３を説明するものである。この弾性体１３は所定の直径の棒状に形成されており、その長さ方向のほぼ中央には、長さ方向に直交するよう、チェーン類２１を通す挿通孔１４が形成されているのである。
【００１８】
上記弾性体１３は、天然ゴム（ＮＲ）、イソプレンゴム（ＩＲ）、スチレンブタジエンゴム（ＳＢＲ）、ブタジエンゴム（ＢＲ）、アクリロニトリルブタジエンゴム（ＮＢＲ）、クロロブレンゴム（ＣＲ）ウレタンゴム（ＵＲ）、シリコンゴム（ＳＲ）ポリウレタン等で構成することができる。その場合、チェーン類の材質および形状等の関係を考慮して、上記ゴム類を使い分けることが望ましい。また、弾性体１３として上記ゴム類をチューブ状に加工したものを使用しても良いことは言うまでもない。特に、上記記載のウレタンゴム（ＵＲ）は、耐摩耗性、耐酸性、耐油性が優れているため、金属製のチェーン類等を使用する場合は、弾性体１３に特にウレタンゴム（ＵＲ）を使用することが望ましい。また貴金属を使用した場合には、加工工程において酸で処理する工程が多いため、金、銀、プラチナ等からなる止め具においてはウレタンゴム（ＵＲ）が最適である。
また、弾性体１３は、金属製またはプラスチック製の挟持具などによって構成することができる。
【００１９】
更に、弾性体１３として、熱可塑性を有するウレタンエラストマー、シリコンエラストマー等でも構成することができる。
【００２０】
図５（ａ），（ｂ）はピン２２を示すもので、ピン２２は丸棒状の線材でできており、その先端部分に複数の溝を適宜間隔で周設した指掛かり構造２３を有する。図５（ａ）では上記溝は２段に形成されているが、１段でも３段以上であっても良い。また図５（ｂ）のように細かい溝を所定の長さにおいて多数形成したものであってもよい。
このピン２２とチェーン類２１とは、一般にロー付けによって取り付けられるが、チェーン類２１が樹脂製等の紐類の場合にはピン２２でカシメ付けること等によって取り付けることができる。
【００２１】
図６および図７は、本考案に係る装身具の他の実施例の正面図および断面図である。図示するように、本実施例に係る装身具においても、チェーン類４１の一端にはピン４２を、他端部には止め金４３を介して止め具３１を連結している。上記止め具３１は、貫通孔３２と、弾性体３３を有し、弾性体３３は、止め具３１の貫通孔３２に通ずる挿通孔３４を有する。この実施例では、止め具３１はハート形で、金属製の枠にダイヤモンド等の宝石をあしらったものである。
本実施例において上記弾性体３３は、止め具３１の中空部分に仕切り３５を設けて収納してあり、挿通孔３４はその中央に垂直に形成されている。したがってピン４２は上記挿通孔３４に上から下向きに挿通すればよい。
【００２２】
図８および図９は、本考案に係る装身具の別の実施例の断面図および正面図である。
図８の実施例においては、チェーン類６１の一端にはピン６２を、他端部には抜止め具６４を備えている。そしてハート形に形成した止め具５１は、一対の貫通孔５２−１，５２−２と、そのそれぞれに取り付けた弾性体５３を有し、弾性体５３はそれぞれ、止め具５１の貫通孔５２−１，５２−２に通ずる挿通孔５４を有する。この実施例においてもピン６２は止め具５１の貫通孔５２−２から無理なく引き抜ける長さに形成してあるので、チェーン類６１と止め具５１との連結および取り外しをだれでも容易にかつ正確に行うことができる。
本実施例において上記弾性体５３は、止め具５１の中空部分に仕切り５５を設けて収納してあり、挿通孔５４はその中央に形成されている。したがってピン６２は上記挿通孔５４に上から下向きに挿通すればよい。
この実施例ではピン６２を、止め具５１の一方の貫通孔５２−１の下部から上向きに挿通し、次いで他方の貫通孔５２−２の上部から下向きに挿通することによって組み付けられる。また他方の貫通孔５２−２からピン６２を引き抜く際には、抜止め具６４によってチェーン類６１の他端が一方の貫通孔５２−１から外れることがない。したがって使用中は、チェーン類６１と止め具５１とは常に一体である。
さらに、止め具５１をチェーン類６１両端のピン６２および抜止め具６４を片手で持ってチェーン類６１に沿って上下にスライドさせることにより、簡単に止め位置を調節することができる。
図９の実施例においては、チェーン類６１の一端にはピン６２を、他端部には止め金６３を介して止め具５１を連結している。上記止め具５１は、貫通孔と、弾性体を有し、弾性体は、止め具５１の貫通孔に通ずる挿通孔を有することは上記実施例と同様である。この実施例では、止め具５１はＵＦＯ形で、その下面には複数の下げ飾り５６が吊下げられている。
【００２３】
図１０および図１１は、本考案に係る装身具のさらに別の実施例の装着前の断面図および装着後の断面図である。図示するように、本実施例に係る装身具は、チェーン類８１と、チェーン類８１端部にピン８２と、チェーン類８１の他端部に止め金７７を介して止め具７１を連結している。この実施例においてピン８２は、棒状の角材でできており、ピン８２をひねることによりらせん状とした指掛かり構造８３を有する。止め具７１は、貫通孔７２と、弾性体７３を有し、弾性体７３は、止め具７１の貫通孔７２に通ずる挿通孔７４を有する。止め具７１は金属、合金、プラスチック、セラミック等の各種の材料を用いて形成することができる。また、真珠や貴石等であっても良い。止め具７１の外面は、メッキ等によって装飾することができる。または、彫金的装飾を施してもよい。止め具７１の形状は任意である。実施例では、止め具７１は球状である。
【００２４】
この実施例においてもピン８２は、ピン８２を止め具７１の貫通孔７２に差し込んだ際に、ピン８２の先端部が止め具７１の貫通孔７２の下部から引き抜きやすい程度に突き出す長さに形成してあるので、チェーン類８１と止め具７１との連結および取り外しをだれでも容易にかつ正確に行うことができる。
また、止め具７１の位置決めは、図１１に示すように、止め具７１をａ方向か、またはｂ方向にスライドすることによって行われる。これにより、装飾性を有する止め具７１を、自由かつ容易にチェーン類８１の任意の位置に移動し、止めて、装身具のデザインを思いのままに変化させることができる。
なお、上記チェーン類８１として金属製の鎖を使用した場合には、鎖の端部の一定の長さの間をロー付けすることにより、鎖部分を折れ曲らない棒状に形成して当該鎖端部にピンの機能を持たせ、ピンとして使用することもできる。
【００２５】
図１２は、上記実施例に係る止め具の例の断面図である。図示された貫通孔を有する止め具は、材質が真珠や貴石等の場合である。止め具７１は、貫通孔７２と、弾性体７３と、ふた部７６を有する。ふた部７６は、止め金７７を有し、弾性体７３を止め具７１に固定する。止め具７１は、止め金７７にて、チェーン類８１の端部に取り付けられる。止め金７７の例として、図１２ではふた部７６に丸環で連結しているが、チェーン類８１の端部を直接ふた部７６にロー付けしても良い。なお、ふた部７６は止め具７１に接着剤で接着しておけばよい。
【００２６】
図１３は、本考案に係る止め具の別の実施例の断面図である。図示された中空部を有する止め具は、材質が貴金属の場合である。止め具７１は、球状をなし、貫通孔７２と、中空部７８と、弾性体７３を有する。止め具７１は、中空部７８に弾性体７３を備え、この弾性体７３は、止め具７１の貫通孔７２に通ずる挿通孔７４を有する。なお、この弾性体７３は、止め具７１の中空部７８に液状にて充填し、固化させることにより、止め具７１に固定することができる。また、弾性体７３の例として、熱可塑性を有するウレタンエラストマー、シリコンエラストマー等が挙げられる。
【００２７】
図１４は、本実施例に係るピンの拡大図である。ピン８２は、チェーン類８１の端部に取り付けられ、棒状の角材でできており、ピン８２をひねることによりらせん状とした指掛かり構造８３を有する。このような構造にすることで、止め具７１に差し込んだピン８２を止め具７１の貫通孔７２下部から引き抜き易くし、止め具７１に対するチェーン類８１の挿通を容易にすることができる。すなわち、ピン８２の指掛かり構造８３は、チェーン類８１の端部に連結されたピン８２を止め具７１から引き抜く際の滑り止めの役目を果たし、ピン８２を止め具７１から容易に引き抜けるようにし、チェーン類８１の挿通を容易にするためのものである。したがって、そのような作用を有する形状であれば任意の形状で良い。また、ピン８２の長さは、止め具７１の貫通孔７２の長さより長いことが必要である。ピン８２は、止め具７１の貫通孔７２から弾性体７３の挿通孔７４に挿通する。
【００２８】
図１５および図１６は、本考案に係る装身具のさらに別の実施例の断面図である。図示するように、図１５の実施例に係る装身具も、チェーン類８１と、チェーン類８１端部に指掛かり構造８３を有するピン８２と、チェーン類８１の他端部に止め金７７を介して止め具７１を連結している。
この実施例において、チェーン類８１はその適所を切り離されており、その端部に取り付けた引き輪８４とダルマカン８５とで、例えば通常のネックレスのように首の後ろで着脱することができる。
図１６の実施例に係る装身具も、チェーン類８１と、チェーン類８１端部に指掛かり構造８３を有するピン８２と、チェーン類８１の他端部に止め金７７を介して止め具７１を連結している。
この実施例においても、チェーン類８１はその適所を切り離されており、その端部に取り付けたスライド機能を有する引き輪８４とダルマカン８５とで着脱可能となっている。すなわち、引き輪８４には小型の止め具８６が連結されており、この止め具８６はチェーン類８１上にスライド可能に取り付けられているので、例えば通常のネックレスのように首の後ろで引き輪８４とダルマカン８５とを連結し、止め具８６をスライドさせてチェーン類８１のループ（輪）の大きさを適宜調節することができる。８７はチェーン類８１の端部に取り付けた止め具８６の抜止め具である。
【００２９】
図１７は、本考案に係る装身具のさらに別の実施例の断面図であり、１０３のペンダントトップ等を首に吊下げるために用いる、いわゆるネックレスとしても使用することができるようにしたものである。より詳しくは、上記チェーン類１０１にバチカン１０４を挿通して吊下げることにより、ペンダント用のチェーン類としても使用できる。
図示された装身具も装飾性を有する止め具９１を有している。この止め具９１を首の後ろに配置し、その貫通孔９２にピン１０２を挿通して、チェーン類１０１を弾性体９３の挿通孔９４に挿通した際に、弾性体９３の弾性力により、チェーン類１０１に止め具９１が抜け止めされる。
【００３０】
図１８（ａ），（ｂ）は本考案に係る装身具のさらに別の実施例を示すものであり、図１８の実施例において図示された装身具は、通常のネックレス用チェーン類１１０に本考案に係る装身具を吊下げ、ペンダントとしても使用できるようにしたものである。
なお、同図（ａ），（ｂ）のように、止め具１０５をチェーン類１０６に沿ってａもしくはｂ方向にスライドさせることにより、胸元におけるペンダントヘッドの位置を、服装等に応じて自由に変えることができる。
【００３１】
図１９は、本考案に係る装身具のまた別の実施例を示す断面図である。図示された装身具は、チェーン類１２１と、その先端に取り付けたピン１２２と、チェーン類１２１の他端に止め金１２４を介して連結した止め具１１１と、装飾パーツ１２３を有する。ピン１２２は、その先端部に装飾パーツ１２３を着脱可能に取り付けられている。なお、止め具１１１を複数用いることで、アクセサリとしてのバリエーションが増える。
この実施例においてもピン１２２は止め具１１１の貫通孔（図示せず）から無理なく引き抜ける長さに形成してあるので、チェーン類１２１と止め具１１１との連結および取り外しをだれでも容易にかつ正確に行うことができる。
【００３２】
図２０は、本考案に係る止め具に内蔵される弾性体の別の実施例の断面図である。図示された止め具１３１は、貫通孔１３２と、例えば図１２に示された弾性体７３の代わりに挟持具１４２を有する。挟持具１４２は、筒状をなし、先端にスリット１４３を形成し、止め具１３１に内蔵される。また、挟持具１４２は、このスリット１４３によって、弾性的なバネ作用を持つ。さらに、挟持具１４２は、先端の縁に面取り１４４を形成する。チェーン類１４１は、止め具１３１の貫通孔１３２から止め具１３１内に内蔵された挟持具１４２に挿通する。挟持具１４２の先端部の内径は、チェーン類１４１の直径よりも小径である。従って、チェーン類１４１の直径と、挟持具１４２の先端部の内径を調整することにより、挟持具１４２先端部は前記弾性体７３等と同様の弾性力を発揮する。
この例でも、ピン（図示せず）を止め具１３１の貫通孔１３２の長さよりも長く形成しておけば、チェーン類１４１と止め具１３１との連結および取り外しをだれでも容易にかつ正確に行うことができる。
１４５はチェーン類１４１の他端を係止する止め金である。
【００３３】
図２１は、図２０に示された挟持具の拡大図である。図示された挟持具１４２は、先端部にスリット１４３を形成する。また、挟持具１４２先端の縁は面取り１４４を形成する。挟持具１４２は、このスリット１４３によって、弾性的なバネ作用を持つ。このような構造にすることで、チェーン類１４１の直径と、挟持具１４２の先端部の内径を調整することにより、挟持具１４２先端部は前記弾性体７３等と同様の弾性力を発揮する。
【産業上の利用可能性】
【００３４】
本考案は、チェーン類もしくは紐類と止め具とからなる装身具であり、挿通した状態において、止め具の位置を変えるだけで、首回りに取り付けるネックレスや、手首に取り付けるブレスレット、足首に取り付けるアンクレットとしても十分利用可能である。
【図面の簡単な説明】
【００３５】
【図１】本考案に係る装身具の１実施例の正面図である。
【図２】その断面図である。
【図３】その要部拡大背面図である。
【図４】筒状の小枠に装着される弾性体を説明する斜視図である。
【図５】（ａ），（ｂ）はピンを示す拡大図である。
【図６】本考案に係る装身具の他の実施例の正面図である。
【図７】その断面図である。
【図８】本考案に係る装身具の別の実施例の断面図および正面図である。
【図９】その正面図である。
【図１０】本考案に係る装身具のさらに別の実施例の装着前の断面図である。
【図１１】装着後の断面図である
【図１２】上記実施例に係る止め具の例の断面図である。
【図１３】本考案に係る止め具の別の例の断面図である。
【図１４】本実施例に係るピンの拡大図である。
【図１５】本考案に係る装身具のさらに別の実施例の断面図である。
【図１６】本考案に係る装身具のさらに別の実施例を示す斜視図である。
【図１７】本考案に係る装身具のさらに別の実施例の断面図である。
【図１８】（ａ），（ｂ）本考案に係る装身具のさらに別の実施例を示す斜視図である。
【図１９】本考案に係る装身具のまた別の実施例を示す断面図である。
【図２０】本考案に係る止め具に内蔵される弾性体の別の実施例の断面図である。
【図２１】図２０に示された挟持具の拡大図である。
【符号の説明】
【００３６】
１１  止め具
１２  貫通孔
１２’  貫通孔下端
１３  弾性体
１４  挿通孔
１５  小枠
１６  裏蓋
１７  爪
２１  チェーン類
２２  ピン
２３  指掛かり構造
２４  止め金
３１  止め具
３２  貫通孔
３３  弾性体
３４  挿通孔
３５  仕切り
４１  チェーン類
４２  ピン
４３  止め金
５１  止め具
５２  貫通孔
５２−１，５２−２  貫通孔
５３  弾性体
５４  挿通孔
５５  仕切り
５６  下げ飾り
６１  チェーン類
６２  ピン
６３  止め金
６４  抜止め具
７１  止め具
７２  貫通孔
７３  弾性体
７４  挿通孔
７６  ふた部
７７  止め金
７８  中空部
８１  チェーン類
８２  ピン
８３  指掛かり構造
８４  引き輪
８５  ダルマカン
８６  止め具
８７  抜止め具
９１  止め具
９２  貫通孔
９３  弾性体
９４  挿通孔
１０１  チェーン類
１０２  ピン
１０３  装飾体
１０４  バチカン
１０５  止め具
１０６  チェーン類
１１０  ネックレス用チェーン類
１１１  止め具
１２１  チェーン類
１２２  ピン
１２３  装飾パーツ
１２４  止め金
１３１  止め具
１３２  貫通孔
１４１  チェーン類
１４２  挟持具
１４３  スリット
１４４  面取り
１４５  止め金
【図１】
0003116199.tif 000003
【図２】
0003116199.tif 000004
【図３】
0003116199.tif 000005
【図４】
0003116199.tif 000006
【図５】
0003116199.tif 000007
【図６】
0003116199.tif 000008
【図７】
0003116199.tif 000009
【図８】
0003116199.tif 000010
【図９】
0003116199.tif 000011
【図１０】
0003116199.tif 000012
【図１１】
0003116199.tif 000013
【図１２】
0003116199.tif 000014
【図１３】
0003116199.tif 000015
【図１４】
0003116199.tif 000016
【図１５】
0003116199.tif 000017
【図１６】
0003116199.tif 000018
【図１７】
0003116199.tif 000019
【図１８】
0003116199.tif 000020
【図１９】
0003116199.tif 000021
【図２０】
0003116199.tif 000022
【図２１】
0003116199.tif 000023